(57)【特許請求の範囲】
【請求項１】
洗浄水によりボウル部を洗浄する水洗大便器において、
便器本体の供給口へ洗浄水を供給する給水装置と、
ボウル形状の汚物受け面と、上記汚物受け面の上側に設けられ且つ自身の内周側において所定の傾斜の内周壁を形成しているリム部と、上記リム部の全周に形成されて洗浄水を導くリム通水路と、上記リム部の全周に形成され且つ上記リム通水路から上記汚物受け面に洗浄水を供給する開口部と、を備えた上記ボウル部と、
上記ボウル部の下方に接続され汚物を排出する排水路と、
上記供給口と上記リム通水路との間に形成されたリム後方導水路と、を有し、
上記汚物受け面の上部内周壁は、上記リム後方導水路の出口の上記ボウル部の内方側に設けられた傾斜領域における傾斜が、上記リム部の上記内周壁の傾斜よりも緩やかになるように形成され、
上記内周壁の傾斜よりも緩やかに形成された上記傾斜領域の上端は上記リム部の上記内周壁の下端よりも上記ボウル部の内方側に設けられることを特徴とする水洗大便器。
【請求項２】
上記傾斜領域は、上記ボウル部の中心部を中心とした８０度〜１００度の範囲の領域である請求項１記載の水洗大便器。
【請求項３】
上記汚物受け面は、その両側方領域が凸面により形成され、前方領域と後方領域が上記両側方領域より小さな曲率の凸面、又は凹面により形成された請求項１又は２に記載の水洗大便器。
【請求項４】
上記ボウル部の上記開口部は、上記リム通水路の側方を開口する開口部として形成され、上記開口部の上部と下部との間の距離と、上記開口部から上記リム後方導水路の上記出口までの上記リム通水路の底面の距離と、の比率は、１：２〜１：３である請求項１乃至３の何れか１項に記載の水洗大便器。
【発明の詳細な説明】
【技術分野】
【０００１】
本発明は、水洗大便器に係り、特に、洗浄水によりボウル部を洗浄する水洗大便器に関する。
【背景技術】
【０００２】
従来から、水洗大便器として、例えば、特許文献１に示すような水洗大便器、及び図９に示すような特許文献１と類似の構造を有している水洗大便器１０１が、便器本体１０２のリム１１８のリム通水路１２０の底面にスリット開口１２６を備えた、いわゆるオープンリム構造のものが知られている。このようなオープンリム構造においては、リム１１８とボウル部１０８との間のスリット開口１２６からボウル部１０８に洗浄水が吐水されるようになっている。図９に示すように、リム１１８の内周側においてはリム内周壁部１２２が形成され、リム内周壁部１２２の下方には汚物受け面１１６の上部内周壁１４０が形成されている。
【０００３】
このようなオープンリム構造の便器を安価に製造するために、図９に示すように、リム１１８の内周側のリム内周壁部１２２と、汚物受け面１１６の上部内周壁１４０とを１つの抜き型１０３を用いて、形成することが知られている。１つの抜き型１０３を抜いてリム内周壁部１２２と上部内周壁１４０とを形成するため、リム内周壁部１２２及び上部内周壁１４０は、同一の直線１２３上に形成されている。
【先行技術文献】
【特許文献】
【０００４】
【特許文献１】特許第４０６２７３１号公報
【発明の概要】
【発明が解決しようとする課題】
【０００５】
しかしながら、このような従来の水洗大便器１０１において、汚物受け面１１６上に旋回流を形成させる場合、旋回流が減速されずに旋回が持続してしまい、ボウル部１０８に吐水される洗浄水と、旋回流とが衝突して、便器本体１０２の外部、又は水洗大便器１０１上に座っている使用者等に向かって水跳ねが生じてしまうというおそれがある。
【０００６】
また、近年の節水化の要請により、洗浄水量を低減して少ない洗浄水量で洗浄しようとする場合、汚物受け面１１６に供給される洗浄水が、洗浄水量が減ったことによりその勢いが弱くなっており、汚物受け面１１６上で旋回流が減速されずに旋回が持続してしまう場合には、洗浄水が分散されて、洗浄力が低下し、ボウル部１０８の洗浄が不良となるおそれがある。
【０００７】
そこで、本発明は、上述した従来技術の問題を解決するためになされたものであり、いわゆるオープンリムタイプの水洗大便器において、汚物受け面上で旋回する流れが周回してリム後方導水路の出口の下方に戻ってくる場合に、汚物受け面上に流入する洗浄水と、汚物受け面上旋回流とが衝突して水跳ねを生じることを抑制することができるとともに、洗浄水の汚物受け面から排水路に流れ込む流れを強めることができ、便器本体の洗浄性能を向上させることができる水洗大便器を提供することを目的としている。
【課題を解決するための手段】
【０００８】
上述した目的を達成するために、本発明は、洗浄水によりボウル部を洗浄する水洗大便器において、便器本体の供給口へ洗浄水を供給する給水装置と、ボウル形状の汚物受け面と、汚物受け面の上側に設けられ且つ自身の内周側において所定の傾斜の内周壁を形成しているリム部と、リム部の全周に形成されて洗浄水を導くリム通水路と、リム部の全周に形成され且つリム通水路から汚物受け面に洗浄水を供給する開口部と、を備えたボウル部と、ボウル部の下方に接続され汚物を排出する排水路と、供給口とリム通水路との間に形成されたリム後方導水路と、を有し、汚物受け面の上部内周壁は、リム後方導水路の出口のボウル部の内方側に設けられた傾斜領域における傾斜が、リム部の内周壁の傾斜よりも緩やかになるように形成され、内周壁の傾斜よりも緩やかに形成された傾斜領域の上端はリム部の内周壁の下端よりもボウル部の内方側に設けられることを特徴としている。
このように構成された本発明においては、リム後方導水路の出口から流出する洗浄水が、汚物受け面上で旋回する流れを形成し、この旋回流が汚物受け面上を周回してリム後方導水路の出口のボウル部内方側の傾斜領域に流れる場合に、この傾斜領域における汚物受け面の上部内周壁の傾斜は、リム部の内周壁の傾斜よりも緩やかに形成されているので、傾斜領域に到達した洗浄水流が、傾斜領域の上部内周壁によって減速され、且つボウル部内方側に向かう向きに流される。従って、汚物受け面上の旋回流が周回してリム後方導水路の出口の下方に戻ってくる場合に、洗浄水の汚物受け面から排水路に流れ込む流れを強めることができるとともに、リム後方導水路の出口のボウル部内方側の傾斜領域において、リム後方導水路から汚物受け面上に流入する洗浄水と、旋回流とが衝突して水跳ねを生じることを抑制することができる。さらに、リム後方導水路の出口のボウル部内方側の内周壁に到達した洗浄水の流れが、上部内周壁の傾斜によって減速され、且つボウル部内方側に向かう向きに流されるので、汚物が比較的付着しやすい汚物受け面の後方側に、集中した流れを形成させることができ、汚物受け面の洗浄性能を向上させることができる。また、この集中した流れがボウル部の下方の排水路に向かって流れ込む流れを強めていることから、汚物の排出性能を向上させ、便器本体の洗浄性能を向上させることができる。
【０００９】
本発明において、好ましくは、傾斜領域は、ボウル部の中心部を中心とした８０度〜１００度の範囲の領域である。
このように構成された本発明においては、汚傾斜領域は、ボウル部の中心部を中心とした８０度〜１００度の範囲の領域であるので、上部内周壁の傾斜により使用者に汚物受け面についていびつな印象を与えることなく、美観も確保することができる。
【００１０】
本発明において、好ましくは、汚物受け面は、その両側方領域が凸面により形成され、前方領域と後方領域が上記両側方領域より小さな曲率の凸面、又は凹面により形成されている。
このように構成された本発明においては、汚物受け面上を周回する旋回流において、洗浄水の流速に領域に応じて緩急をつけることができ、両側方領域の凸面を乗り越えた後に加速された洗浄水が、汚物が付着しやすい前方領域及び後方領域の所定の曲率の凸面、又は凹面に集中した流れを形成することができ、汚物受け面上の領域の洗浄性能を高めることができる。また、前方領域及び後方領域の所定の曲率の凸面、又は凹面からボウル部の下方の排水路に向かって流れ込む流れが形成されることから、汚物の排出性能を向上させ、便器本体の洗浄性能を向上させることができる。
【００１１】
本発明において、好ましくは、ボウル部の上記開口部は、リム通水路の側方を開口する開口部として形成され、開口部の上部と下部との間の距離と、開口部からリム後方導水路の出口までのリム通水路の底面の距離と、の比率は、１：２〜１：３である。
このように構成された本発明においては、スリット開口部がリム通水路の側方を開口する開口部として形成されている場合において、便器本体の使用者が開口部を見下ろしたとき、使用者は、開口部からリム後方導水路の出口が見えない状態で便器を使用することとなる。よって、使用者が、リム後方導水路の出口が見えることにより汚れを気にすること、及びリム後方導水路の出口の清掃の必要性を感じさせることを防ぐことができる。また、使用者は、通常、開口部からリム後方導水路の出口が見えない状態で便器を使用するため、使用者に対し、開口部のみが見え、洗練された美的感覚を与えることができる。
【発明の効果】
【００１２】
本発明の水洗大便器によれば、いわゆるオープンリムタイプの水洗大便器において、汚物受け面上で旋回する流れが周回してリム後方導水路の出口の下方に戻ってくる場合に、汚物受け面上に流入する洗浄水と、汚物受け面上旋回流とが衝突して水跳ねを生じることを抑制することができるとともに、洗浄水の汚物受け面から排水路に流れ込む流れを強めることができ、便器本体の洗浄性能を向上させることができる。
【図面の簡単な説明】
【００１３】
【図１】本発明の一実施形態による水洗大便器を示す側面断面図である。
【図２】本発明の一実施形態による水洗大便器の便器本体の平面図である。
【図３】図２のＩＩＩ−ＩＩＩ線に沿って見た水洗大便器の部分断面図である。
【図４】図２のＩＶ−ＩＶ線に沿って見た水洗大便器の部分断面図である。
【図５】本発明の一実施形態による水洗大便器の便器本体の汚物受け面の上方汚物受け面の表面形状を説明する平面図である。
【図６】図５のＶＩ−ＶＩ線に沿って見た水洗大便器の正面断面図である。
【図７】図５のＶＩＩ−ＶＩＩ線に沿って見た水洗大便器の正面断面図である。
【図８】図５のＶＩＩＩ−ＶＩＩＩ線に沿って見た水洗大便器の正面断面図である。
【図９】従来の水洗大便器のリム後方導水路近傍のリム部と汚物受け面との関係を説明する図である。
【発明を実施するための形態】
【００１４】
以下、添付図面を参照して本発明の一実施形態による水洗大便器について説明する。
図１は本発明の一実施形態による水洗大便器を示す側面断面図であり、図２は本発明の一実施形態による水洗大便器の便器本体の平面図であり、図３は図２のＩＩＩ−ＩＩＩ線に沿って見た水洗大便器の部分断面図であり、図４は図２のＩＶ−ＩＶ線に沿って見た水洗大便器の部分断面図である。なお、図２においては、洗浄水の流れを矢印で示している。以下、本発明の実施形態における説明において、便器本体２を前方から見て右側を右側とし、前方から見て左側を左側として説明している。
図１乃至図３に示すように、本発明の一実施形態による水洗大便器１は、陶器等からなる便器本体２を有する。便器本体２は、樹脂により形成されていてもよい。また、便器本体２の後方側の上方には、洗浄水源である貯水タンク４により示す給水装置が設置されている。さらに、貯水タンク４は上水道等の給水源（図示せず）に接続されている。貯水タンク４に設けられた操作レバー（図示せず）を操作することにより洗浄操作を開始すると、貯水タンク４の排水弁（図示せず）が開き、貯水タンク４から所定の洗浄水量（例えば、６リットル）が便器本体２の中央後方側の上部に開口された供給口６に供給されるようになっている。供給口６は、便器本体の左右方向の中央に限られず、中心線Ｃから右側又は左側にずれて形成されていてもよい。中心線Ｃは、便器本体２を左右方向に二等分する中心線である。
【００１５】
また、本実施形態の水洗大便器１においては、貯水タンク４から供給される洗浄水量が３リットル乃至６．５リットルの範囲である節水タイプの水洗大便器、より好ましくは３．８リットル乃至６．５リットルの範囲である節水タイプの水洗大便器、さらにより好ましくは４．８リットル乃至６リットルの範囲である節水タイプの水洗大便器に使用することができる。貯水タンク４により示される給水装置は、貯水タンクの他、規定の洗浄水量を供給できるフラッシュバルブ等の他の給水装置であってもよい。
【００１６】
また、便器本体２の前方上部には、ボウル部８が形成され、便器本体２の後方上部には、供給口６と後述するリム通水路２０との間に形成され、貯水タンク４から供給された洗浄水を供給口６からボウル部８に導水するリム後方導水路１０が形成されている。
さらに、ボウル部８の下方には、溜水部１２が形成され、初期水位の溜水面がＷ０で示されている所定量の溜水が貯留されている。また、この溜水部１２の下端には、排水トラップ管路１４（排水路）の入口１４ａが接続されており、排水トラップ管路１４は、その入口１４ａから後方へと延び、その後端１４ｂが床面に設置された排出管（図示せず）に接続されている。
【００１７】
ボウル部８は、ボウル形状に形成されている汚物受け面１６と、その上縁部に形成されて汚物受け面１６に洗浄水を吐水するリム部１８を備えている。
リム部１８は、自身の内周側において所定の傾斜を有するリム垂下壁部２２（内周壁）を形成している。リム垂下壁部２２は、その上面から下方へ汚物受け面１６近傍まで垂れ下がるように延びてリム部１８の内部（便器本体の中心から見て外側）にリム通水路２０を形成する。リム垂下壁部２２は、環状に形成されている。リム垂下壁部２２は、その上部から下部に向かってボウル部内側に近づくように傾斜して形成されている。リム垂下壁部２２は、水平面Ｌ１に対して角度θ７の傾斜を有する（水平面Ｌ２に対しても角度θ７の傾斜を有する）ように形成されている。リム垂下壁部２２の下方の延長線上に、汚物受け面１６の上部内周壁４０の上端が位置する。リム垂下壁部２２の傾斜は、上部内周壁４０の傾斜領域Ｄ以外の領域の傾斜とほぼ一致するように形成されている。
【００１８】
また、リム部１８は、リム通水路２０内の洗浄水が外に飛び出さないようにリム垂下壁部２２がオーバーハングした形状を形成しており、リム部１８の周方向に沿って形成されたリム通水路２０の内側且つ側方が全周にわたって開口されてスリット開口部２６（開口部）を形成している、いわゆる、オープンリムタイプの形態であるオープンリム部となっている。
このリム通水路２０の内側（内部側）における、リム通水路底面２４（又は上部内周壁４０）とリム垂下壁部２２との間において開口するスリット形状に形成されたスリット開口部２６が、洗浄水を汚物受け面１６に吐水する吐水部を形成している。なお、スリット開口部２６は、リム通水路２０の下方側（例えば、リム通水路２０の底面の一部）が全周にわたって開口されていてもよい。
【００１９】
また、ボウル部８には、汚物受け面１６とリム部１８との間にボウル部８のほぼ全周に亘って形成された棚状のリム通水路底面２４が形成されている。リム通水路底面２４は、ボウル部８の上部に環状に形成された平坦面を形成し、この平坦面はボウル部８の外側方向から内側方向に向かって、ほぼ水平に形成されている。
このような構成により、リム後方導水路１０から供給された洗浄水が、リム通水路２０においてリム通水路底面２４上を流れながらボウル部８の上部を一周するような流れを形成することができる。すなわち、本実施形態における水洗大便器は、オープンリムタイプの構造によるリム通水路２０において洗浄水が左右片側から時計回り又は反時計回りに周回するような一方向の流れを形成するタイプの水洗大便器である。
【００２０】
次に、リム後方導水路１０について詳細に説明する。
図１及び図２に示すように、便器本体２の後方側のリム後方導水路１０の後端には、貯水タンク４の下流側端部が接続される供給口６が形成され、貯水タンク４から供給された洗浄水は、供給口６から便器本体２の後方側のリム後方導水路１０に吐水され、リム後方導水路１０からリム通水路２０に流入するようになっている。
【００２１】
図２に示すように、リム後方導水路１０は、便器本体２の前方から見てほぼ中央に配置された供給口６近傍から便器本体２の左右方向のうち一方側へと延びる上流側リム導水路２８と、この上流側リム導水路２８から左右方向のうち他方側へと延びる下流側リム導水路３０とを備えている。リム後方導水路１０は、中心線Ｃに対して左右非対称の流路を形成している。リム後方導水路１０は、上流側リム導水路２８と下流側リム導水路３０とにより、「く」の字形状（他の例示の表現としては、ブーメラン形状、又は犬の後ろ脚のような形状）の流路を形成している。それぞれ異なる方向に延びる上流側リム導水路２８と下流側リム導水路３０とを接続する屈曲部３２は、便器本体２の前後方向の中心線Ｃに対して右側領域に偏心して位置決めされている。後述するように上流側リム導水路２８と下流側リム導水路３０との間には、流路を屈曲させる屈曲部３２が形成されている。
下流側リム導水路３０は、上流からその下流側に向かって中心線Ｃ上に一端戻った後、さらに、徐々に左側領域に向かって偏心するように形成されている。従って、リム後方導水路１０は、導水路全体の長さが従来よりも長くなるように形成されている。
【００２２】
上流側リム導水路２８は、便器本体２の中心線Ｃ上の供給口６から斜めに右側方向に向かって直線的に延び、中心線Ｃに対して右側近傍に配置された上流側リム導水路出口部２８ａまで延びている。上流側リム導水路２８は、その流路の両側壁が中心線Ｃに対して対称となる位置に配置されておらず、中心線Ｃに対して非対称の位置に配置されている。上流側リム導水路２８は、上流から下流側に向かって中心線Ｃに対して徐々に右側領域に偏心するように形成されている。上流側リム導水路２８の中心線Ａ１は、中心線Ｃに対して前方が右側外向きに傾斜するように配置されている。
【００２３】
図２に示すように、供給口６の中心点Ｃ１は、便器本体２の左右方向の中心に延びる中心線Ｃ上に配置されるようになっている。本実施形態においては、上流側リム導水路２８は、その中心線Ａ１が便器本体２の中心線Ｃよりも右側方向に偏心して形成されている。上流側リム導水路２８の中心線Ａ１は、供給口６の中心点Ｃ１よりも便器本体２の左右方向のうち屈曲部３２の配置される方向側（例えば、便器本体２の左右方向のうち片側の右方向側）に偏心して延びているようになっている。すなわち、上流側リム導水路２８の中心線Ａ１は、供給口６の中心点Ｃ１の位置における左右方向の横断面において、中心点Ｃ１より右方向側の位置ａ１を通っている。
上流側リム導水路２８の中心線Ａ１は、上流側リム導水路入口部２８ｂから上流側リム導水路出口部２８ａまで中心線Ｃに対して右側に偏心して延びている。中心線Ａ１を延長した仮想的な直線は、中心線Ｃと供給口６の中心点Ｃ１よりも後方側の位置ａ２において交わるようになっている。
【００２４】
上流側リム導水路２８の上流側リム導水路入口部２８ｂは、供給口６の外周の壁面２９のうち、中心点Ｃ１を通る中心線Ｃに対して一方側（右側）にずれた位置に接続されている。すなわち、上流側リム導水路入口部２８ｂは、供給口６の外周の壁面２９のうち、上流側リム導水路２８が中心線Ｃに対して偏心しようとする側に向かって中心からわずかにずれた部分に接続されている。別の言い方によれば、供給口６の外周の壁面２９は、上流側リム導水路入口部２８ｂとの接続開口が中心線Ｃに対して左右片側に偏るように形成されている。
【００２５】
下流側リム導水路３０は、屈曲部３２に接続される下流側リム導水路入口部３０ａから左側へと延び、リム通水路２０の合流部２０ａに接続される下流側リム導水路出口部３０ｂに至る流路を形成している。本実施形態においては、合流部２０ａは、リム通水路２０の左側後部に配置されている。合流部２０ａにおいて、下流側リム導水路３０の下流側リム導水路出口部３０ｂから流出する洗浄水の流れと、リム通水路２０を周回して戻ってきた洗浄水の流れとが合流するようになっている。
下流側リム導水路３０は、下流側リム導水路入口部３０ａから、下流側リム導水路出口部３０ｂまで、便器本体２の中心線Ｃを斜めに横切るような直線的な流路を形成している。
【００２６】
下流側リム導水路３０は、その下流側リム導水路入口部３０ａ（下流側リム導水路の上流部）が、中心線Ｃに対して右側の右側領域に配置され、さらに、その下流側リム導水路出口部３０ｂ（下流側リム導水路の下流部）が、中心線Ｃに対して左側の左側領域に配置されている。よって、下流側リム導水路３０は、中心線Ｃの右側から中心線Ｃを超えてボウル部８の左側後部領域まで延びるような比較的長い流路を形成している。下流側リム導水路入口部３０ａが、中心線Ｃに対して右側に配置されているので、下流側リム導水路入口部３０ａからボウル部８の左側後部領域に位置する下流側リム導水路出口部３０ｂまでの長さが、比較的長い長さに設定される。下流側リム導水路３０は、比較的長い長さの流路を有しているので、洗浄水が下流側リム導水路３０中において下流側リム導水路３０の向きに良好に整流されることができ、洗浄水の指向性が高められ、下流側リム導水路出口部３０ｂからリム通水路２０上を周回しようとする向きに整った流れ且つ比較的水勢の強い状態の流れにより吐水される。
【００２７】
本実施形態においては、下流側リム導水路３０の左右方向のうち一方側（本実施形態においては左右方向のうち右方向側）の内壁面３８は、便器本体２を左右方向に二等分する中心線Ｃに対する左右方向のうち一方側（本実施形態においては中心線に対する左右方向のうち右方向側）から、この中心線Ｃよりも他方側（本実施形態においては中心線に対する左右方向のうち左方向側）まで延びている。
内壁面３８は、下流側リム導水路入口部３０ａを形成し且つ屈曲部３２の外側端部と接続される上流端部３８ａと、下流側リム導水路出口部３０ｂを形成し且つ中心線Ｃよりも他方側（本実施形態においては中心線Ｃに対する左右方向のうち左方向側）に位置する下流端部３８ｂと、を形成している。従って、内壁面３８は、中心線Ｃの右側から左側まで中心線Ｃを超えて延びている。
【００２８】
下流側リム導水路３０の内壁面３８の下流端部３８ｂは、中心線Ｃよりも他方側（本実施形態においては中心線Ｃに対する左右方向のうち左方向側）に突出する凸部を形成している。内壁面３８の下流端部３８ｂは、中心線Ｃよりも左側の領域において、汚物受け面１６の後方側から延びるリム通水路外側壁面３４と接続されている。
下流端部３８ｂは、中心線Ｃよりも左側に突出する凸部を形成しているので、下流端部３８ｂは、中心線Ｃ上において、下流側リム導水路３０の流路と、リム通水路２０の中央後方領域２０ｂとを区切っている。
【００２９】
下流側リム導水路３０の下流側リム導水路出口部３０ｂ（出口）は、中心線Ｃよりも左側の位置において開口されている。下流側リム導水路出口部３０ｂは、リム通水路２０と接続されており、下流側リム導水路出口部３０ｂとリム通水路２０とが接続される部分においてリム通水路２０の合流部２０ａが形成されている。
図４に示すように、下流側リム導水路出口部３０ｂのボウル部内方側にはリム通水路底面２４が延び、リム通水路底面２４のボウル部内方側には汚物受け面１６の上部内周壁が接続されている。
【００３０】
本実施形態においては、リム後方導水路１０は、供給口６とリム通水路２０との間に形成され、便器本体２の前方から見てほぼ中央に配置された供給口６近傍から便器本体２の左右方向のうち一方側へと延びる上流側リム導水路２８と、この上流側リム導水路２８から左右方向のうち他方側へと延びる下流側リム導水路３０とを備え、下流側リム導水路３０からリム通水路２０に向かう洗浄水の主流を形成することでき、良好にリム通水路２０を旋回しようとする洗浄水の旋回流を形成することができ、汚物受け面１６上を旋回しようとする旋回流を形成することができる。
このようなリム後方導水路１０は、上述のような構造にとらわれない他の構造により、洗浄水を汚物受け面１６上において少なくともわずかに旋回させられるリム導水路に変更されることができる。例えばこのようなリム導水路は、洗浄水を供給口からディストリビュータ等の流路を介して汚物受け面１６に導く導水路であってもよい。また、例えば上述のようなリム導水路（リム後方導水路１０）は、供給口とリム通水路との間に形成され、便器本体の後方の供給口から前方に向かって便器本体の中央近傍をほぼ直線状に延びるリム後方導水路であってもよい。
【００３１】
次に、図１乃至図８により、ボウル部８の汚物受け面１６について詳細に説明する。
図５は本発明の一実施形態による水洗大便器の便器本体の汚物受け面の上方汚物受け面の表面形状を説明する平面図であり、図６は図５のＶＩ−ＶＩ線に沿って見た水洗大便器の正面断面図であり、図７は図５のＶＩＩ−ＶＩＩ線に沿って見た水洗大便器の正面断面図であり、図８は図５のＶＩＩＩ−ＶＩＩＩ線に沿って見た水洗大便器の正面断面図である。
汚物受け面１６は、ボウル形状の汚物受け面１６の上部の内周を形成する上部内周壁４０と、上部内周壁４０の下部から内側に延びる比較的緩やかな傾斜面を形成している上方汚物受け面４２と、上方汚物受け面４２の中央側において落ち込むように形成された凹部４４と、を備えている。
【００３２】
汚物受け面１６の上部内周壁４０は、汚物受け面１６の上端部を形成し、且つボウル形状の内側の全周にわたる内周面を形成している。上部内周壁４０は、後述する所定の傾斜の縦壁を形成している。上部内周壁４０は、下流側リム導水路出口部３０ｂの下方側且つボウル部内方側の傾斜領域Ｄにおけるその上部内周壁４０の傾斜が、リム部１８のリム垂下壁部２２の傾斜よりも緩やかになるように形成されている。よって、傾斜領域Ｄは、緩傾斜領域を形成している。
【００３３】
上部内周壁４０における傾斜領域Ｄは、下流側リム導水路出口部３０ｂの下方側且つボウル部内方側において広がる領域である。ボウル部内方側は、ボウル部８の内側方向側であり、下流側リム導水路出口部３０ｂに対して中心部Ｃ２の方向がボウル部８の内側方向となる。
傾斜領域Ｄは、下流側リム導水路出口部３０ｂの近傍位置に設けられ、さらに、上下方向の一定幅を有し且つ汚物受け面１６の湾曲面に沿った所定長さの領域である。具体的には、傾斜領域Ｄは、ボウル部８の中心部Ｃ２を中心とした８０度〜１００度の範囲の領域である。言い換えると、傾斜領域Ｄは、中心部Ｃ２を中心とした中心角５０度（θ１により示す）の幅〜中心角１３０度（θ２により示す）の幅の範囲の上部内周壁４０の領域である。このような傾斜領域Ｄは、ボウル部８の中心部Ｃ２を中心とした中心角５０度（θ１）〜１３０度（θ２）の大きさの扇形の範囲の領域に含まれる。傾斜領域Ｄは、上述のように、５０度〜１３０度の範囲の内周壁上の領域であるので、上部内周壁の傾斜により使用者に汚物受け面についていびつな印象を与えることなく、美観も確保することができる。
【００３４】
本実施形態においては、ボウル部８の中心部Ｃ２は、便器本体２の左右方向の幅が最も大きい部分において便器本体２を左右方向に横断する横断線Ｅを規定した場合に、横断線Ｅと中心線Ｃとの交点部により規定される。なお、ボウル部８の中心部Ｃ２は、汚物受け面１６の凹部４４の中心部、ボウル部８の中心部、汚物受け面１６の中心部、汚物受け面１６の左右方向の幅が最も大きい部分を左右方向に横断する横断線と中心線Ｃとの交点部、ボウル形状の汚物受け面１６の領域を４等分する場合の中心部、又は排水トラップ管路１４の入口１４ａの中心部等の他の基準により定めてもよい。
【００３５】
傾斜領域Ｄは、下流側リム導水路出口部３０ｂとボウル部８の中心部Ｃ２とを結ぶ基準線Ｇを、中心部Ｃ２を中心として、±２５度回転させる範囲内（両端の間の中心角５０度（θ１）の大きさの範囲内）の領域から、±６５度回転させる範囲内（両端の間の中心角１３０度（θ２）の大きさの範囲内）の領域までの、所定の角度範囲内に収まる領域として規定される。より好ましくは、傾斜領域Ｄは、基準線Ｇを、中心部Ｃ２を中心として、±４０度回転させる範囲内（８０度の大きさの範囲内）の領域から、±５０度回転させる範囲内（１００度の大きさの範囲内）の領域までの、所定の角度範囲内に収まる領域により規定してもよい。
例えば、本実施形態における傾斜領域Ｄは、基準線Ｇを、中心部Ｃ２を中心として、±４５度回転させる範囲内（両端の間の中心角９０度（θ０）の大きさの範囲内）に収まる領域により規定されている。
【００３６】
傾斜領域Ｄの下流側端部Ｄ１は、基準線Ｇを、中心部Ｃ２を中心として、−４５度回転させた位置（基準線Ｇを旋回流の下流側に向かって４５度の大きさ回転させた位置）に設けられる。なお、基準線Ｇの位置が０度の位置である。また、傾斜領域Ｄの上流側端部Ｄ２は、基準線Ｇを、中心部Ｃ２を中心として、＋４５度回転させた位置（基準線を旋回流の上流側に向かって４５度の大きさ回転させた位置）に設けられる。このようにして、下流側端部Ｄ１と、上流側端部Ｄ２との間の上部内周壁４０の傾斜領域Ｄが規定される。
【００３７】
なお、本実施形態においては、傾斜領域Ｄは、基準線Ｇに対して左右対称になるように中心部Ｃ２を中心とした中心角８０度〜１００度の範囲の領域として形成されているが、傾斜領域Ｄは、基準線Ｇに対して左右非対称になるように中心部Ｃ２を中心とした中心角８０度〜１００度の範囲の領域として形成されていてもよい。例えば、傾斜領域Ｄは、中心線Ｃに対して左右対称になるように中心部Ｃ２を中心とした中心角９０度の範囲の扇形の領域に含まれる上部内周壁４０部分として形成されていてもよい。この場合においても、下流側リム導水路出口部３０ｂの下方側且つボウル部内方側の傾斜領域Ｄの傾斜が、リム垂下壁部２２の傾斜よりも緩やかになるように形成されることができる。
【００３８】
図４に示すように、上部内周壁４０の傾斜領域Ｄは、上下方向においては、リム通水路底面２４と上方汚物受け面４２との間に配置されている。上部内周壁４０は、下流側リム導水路出口部３０ｂと中心部Ｃ２とを結ぶ基準線Ｇ上における傾斜領域Ｄにおいて、リム部１８のリム垂下壁部２２に対する角度が、最大の角度θ３の傾斜を有するように形成されている。上部内周壁４０は、傾斜領域Ｄにおいて、基準線Ｇ上から左右方向に離れるにつれて、リム部１８のリム垂下壁部２２に対する角度が小さくなるように形成されている。上部内周壁４０は、基準線Ｇ上における傾斜領域Ｄにおいて、上部内周壁４０は、最も前方まで突出している頂部４１を形成している。
【００３９】
より具体的には、図４に示すように、基準線Ｇ上において、上部内周壁４０は、リム垂下壁部２２に対して１０度〜３０度の範囲の角度θ３の傾斜を有するようになっている。従って、上部内周壁４０の傾斜が、リム垂下壁部２２の傾斜よりも緩やかになるように形成されている。
また、図３に示すように、傾斜領域Ｄにおいて、例えば下流側リム導水路出口部３０ｂから所定距離離れた中心線Ｃ上において、上部内周壁４０は、リム垂下壁部２２に対して角度θ３より小さい角度θ４の傾斜を有するようになっている。従って、角度θ４は、０°＜θ４＜θ３の大きさの関係に設定されている。また、傾斜領域Ｄの両端の下流側端部Ｄ１及び上流側端部Ｄ２においては、上部内周壁４０は、リム垂下壁部２２と一致する角度を有するようになっている。なお、上部内周壁４０は、傾斜領域Ｄ以外の領域においては、上部内周壁４０の傾斜が、リム垂下壁部２２の傾斜と一致するようになっている。従って、傾斜領域Ｄの領域においては、傾斜領域Ｄ以外の領域におけるよりも、上部内周壁４０の傾斜が、緩やかに形成されている。
【００４０】
また、上部内周壁４０は、基準線Ｇ上における傾斜領域Ｄにおいて、水平面Ｌ２に対する角度が、最小の角度θ５の傾斜を有するように形成されている。すなわち、上部内周壁４０は、傾斜領域Ｄにおいて、基準線Ｇ上から左右方向に離れるにつれて、水平面Ｌ２に対する角度が大きくなるように形成されている。具体的には、図４に示すように、上部内周壁４０は、基準線Ｇ上において、水平面Ｌ２に対して５０度〜７０度の範囲の角度θ５の傾斜を有するようになっている。
また、図３に示すように、傾斜領域Ｄにおいて、例えば下流側リム導水路出口部３０ｂから所定距離離れた中心線Ｃ上において、上部内周壁４０は、水平面Ｌ２に対して角度θ５より大きな角度θ６の傾斜を有するようになっている。従って、角度θ６は、θ５＜θ６＜９０°の大きさの関係に設定されている。また、上述のように、上部内周壁４０は、傾斜領域Ｄの両端の下流側端部Ｄ１及び上流側端部Ｄ２においては、水平面Ｌ２に対する角度が、上部内周壁４０と、リム垂下壁部２２とで一致するように形成されている。
【００４１】
図３及び図４に示すように、傾斜領域Ｄにおいて、上部内周壁４０は、リム垂下壁部２２に対して所定範囲の角度θ３の傾斜を有するようになっているので、上部内周壁４０の傾斜が、リム垂下壁部２２の傾斜よりも緩やかになるように形成されている。他の言い方によれば、上部内周壁４０の傾斜が、リム垂下壁部２２の傾斜よりも寝かされた状態とされている。
図３及び図４に示すように、傾斜領域Ｄにおいて、水平面Ｌ２に対する上部内周壁４０の傾斜の角度θ５は、水平面Ｌ２に対するリム垂下壁部２２の傾斜の角度θ７よりも小さくなるように形成されているので、上部内周壁４０の傾斜が、リム垂下壁部２２の傾斜よりも緩やかになるように形成されている。
【００４２】
次に、図４により、下流側リム導水路出口部３０ｂ近傍のスリット開口部２６について説明する。
本実施形態においては、ボウル部８のスリット開口部２６は、リム通水路２０の側方を開口する開口部として形成されている。図４に示すように、スリット開口部２６の上部２６ａと下部２６ｂとの間の上下方向の距離ｌ１と、スリット開口部２６から下流側リム導水路出口部３０ｂまでのリム通水路底面２４の距離ｌ２と、の比率は、１：２〜１：３の比率の範囲である。
このように構成することにより、スリット開口部２６がリム通水路２０の側方を開口する開口部として形成されている場合に、用便をする目的で便器本体を使用する通常の使用者が、スリット開口部２６を見下ろしたとき、図４に示すように、視線Ｖ（図４において点線により使用者の視線Ｖを示す）がリム通水路底面２４に当たることとなる。従って、使用者は、通常の用便の使用態様においては、スリット開口部２６の奥にはリム通水路底面２４が見えることとなり、スリット開口部２６から下流側リム導水路出口部３０ｂが見えない状態で便器を使用することとなる。
よって、便器本体２を使用する使用者が、下流側リム導水路出口部３０ｂが見えることにより下流側リム導水路出口部３０ｂの汚れを気にすること、及びこの使用者に下流側リム導水路出口部３０ｂの清掃の必要性を感じさせることを防ぐことができる。また、スリット開口部２６の奥に下流側リム導水路出口部３０ｂが見えにくい状態で配置されることにより、使用者は、通常、開口部からリム後方導水路の出口が見えない状態で便器を使用するため、使用者に対し、スリット開口部２６のみが見え、すっきりと洗練されたような美的感覚を与えることができる。
【００４３】
次に、図２及び図５により、ボウル部８の汚物受け面１６の上方汚物受け面４２の表面形状について詳細に説明する。図５は本発明の一実施形態による水洗大便器の便器本体の汚物受け面の上方汚物受け面の表面形状を説明する平面図であり、図６は図５のＶＩ−ＶＩ線に沿って見た水洗大便器の正面断面図であり、図７は図５のＶＩＩ−ＶＩＩ線に沿って見た水洗大便器の正面断面図であり、図８は図５のＶＩＩＩ−ＶＩＩＩ線に沿って見た水洗大便器の正面断面図である。図５に示すように、ボウル部８の上方汚物受け面４２は、平面視で、左側方領域Ｈ１、前方領域Ｈ２、右側方領域Ｈ３、及び後方領域Ｈ４を有する。なお、図５においては、洗浄水の流れを矢印で示している。
【００４４】
左側方領域Ｈ１は全体として上方汚物受け面４２上でゆるやかな勾配で隆起している凸面を形成している。前方領域Ｈ２は、全体として上方汚物受け面４２上でゆるやかな勾配でくぼんでいる凹面を形成している。右側方領域Ｈ３は全体として上方汚物受け面４２上でゆるやかな勾配で隆起している凸面を形成している。さらに、後方領域Ｈ４は、全体として上方汚物受け面４２上でゆるやかな勾配でくぼんでいる凹面を形成している。前方領域Ｈ２及び後方領域Ｈ４は、右側方領域Ｈ３及び左側方領域Ｈ１の凸面よりも小さな曲率の凸面により形成されていてもよい。
従って、下流側リム導水路出口部３０ｂからリム通水路２０に流入され、リム通水路２０から汚物受け面１６に流下して汚物受け面１６上に旋回流を生じさせる洗浄水は、例えば、左側方領域Ｈ１の凸面、前方領域Ｈ２の凹面、右側方領域Ｈ３の凸面、後方領域Ｈ４の凹面の順に各領域を通過することとなる。このように、上方汚物受け面４２においては、左側方領域Ｈ１の凸面、前方領域Ｈ２の凹面、右側方領域Ｈ３の凸面、後方領域Ｈ４の凹面、再び左側方領域Ｈ１の凸面のように、領域が変わるごとに凸面と凹面（又は比較的小さな凸面）とが変化している。
【００４５】
上方汚物受け面４２の右側方領域Ｈ３及び左側方領域Ｈ１は、横方向（便器本体２の前後方向に直交する方向）に沿って同じ曲率の凸面により形成され（図７参照）、前後方向に沿ってもそれぞれ同じ曲率の凸面により形成されている。前方領域Ｈ２は前後方向に沿って凹面により形成され（図１参照）、横方向に沿って凹面により形成されている（図６参照）。後方領域Ｈ４は、横方向に沿って凹面により形成され（図８参照）、前後方向に沿って右側方領域Ｈ３及び左側方領域Ｈ１の凸面よりも小さな曲率の凸面により形成されている（図１参照）。
【００４６】
ここで、前方領域Ｈ２は、後方領域Ｈ４と同様に、前後方向に沿って右側方領域Ｈ３及び左側方領域Ｈ１の凸面よりも小さな曲率の凸面により形成されてもよい。また、後方領域Ｈ４は、前方領域Ｈ２と同様に、前後方向に沿って凹面により形成されてもよい。
さらに、洗浄水の旋回方向の左側方領域Ｈ１が旋回方向の上流側である場合に、左側方領域Ｈ１が右側方領域Ｈ３よりも横方向に沿って大きな曲率の凸面により形成されてもよい。逆に、洗浄水の旋回方向の右側方領域Ｈ３が旋回方向の上流側である場合には、右側方領域Ｈ３が左側方領域Ｈ１よりも横方向に沿って大きな曲率の凸面により形成されてもよい。
【００４７】
ボウル部８の汚物受け面１６の上方汚物受け面４２の表面形状を上述したように形成することにより、詳細は後述するが、上方汚物受け面４２上を旋回する洗浄水の一部が左側方領域Ｈ１の凸面により減速された後、前方領域Ｈ２の凹面から凹部４４に流入する主流Ｆ１０を形成し、さらに、上方汚物受け面４２上を旋回する洗浄水の一部が右側方領域Ｈ３の凸面により減速された後、後方領域Ｈ４の凹面から凹部４４に流入する主流Ｆ１１を形成する（図５参照）。
【００４８】
本発明の一実施形態による水洗大便器１の左右非対称のリム後方導水路１０及びこれを備えた水洗大便器１に関し、左右逆転した形状の流路構成を採用していてもよい。より具体的には、左右逆転した形状の流路の一例としては、便器本体の左右方向のうち左側へと延びる上流側リム導水路から方向を変えて下流側リム導水路が右向きに延びるように形成され、洗浄水が、下流側リム導水路に沿って、左右方向のうち右側へと比較的長い長さにわたって導かれ、下流側リム導水路から流出する洗浄水がリム通水路において時計回りに周回するような一方向の流れを形成するように水洗大便器が構成されていてもよい。
【００４９】
つぎに、図１〜図７により、本発明の一実施形態による水洗大便器の作用（動作）を説明する。
最初に、便器洗浄のための操作レバー（図示せず）を操作すると、貯水タンク４に設けられた排水弁（図示せず）が開き、貯水タンク４から所定の洗浄水量（例えば、６．０リットル）が便器本体２の後方側の供給口６からリム後方導水路１０に供給される。
【００５０】
貯水タンク４から供給口６に供給された洗浄水は、矢印Ｆ１に示すように、左右方向において上流側リム導水路２８が偏心している側から上流側リム導水路２８に流入する。上流側リム導水路２８に流入した洗浄水は、上流側リム導水路２８内を便器本体２の左右方向のうち右側へと徐々に偏心するように流れる。すなわち、洗浄水は、中心線Ｃから遠ざかるように右側側方に向かって流れる。洗浄水が上流側リム導水路出口部２８ａに到達すると、洗浄水が屈曲部３２において向きを変える。洗浄水は、屈曲部３２において便器本体２の右側向きの流れから左側向きの流れに方向が転換される。
【００５１】
このように、洗浄水は、矢印Ｆ２に示すように、直線的に延びる下流側リム導水路３０に沿って下流側リム導水路入口部３０ａから下流側リム導水路出口部３０ｂに向かって直線的な流れを形成する。下流側リム導水路３０は、従来よりも比較的長く形成されており、洗浄水は、下流側リム導水路入口部３０ａから中心線Ｃを越えて直線的に流れ、水勢を維持しながら流れの方向が比較的均一に整えられる。従って、洗浄水は、下流側リム導水路出口部３０ｂから左右に拡がることが抑制され、直線的な流れとして流出する。
【００５２】
また、屈曲部３２の外側から連続する内壁面３８に導かれる洗浄水は、下流側リム導水路３０の左右方向のうち一方側の内壁面３８に沿って流れる。内壁面３８に沿って流れる洗浄水は、便器本体２を左右方向に二等分する中心線Ｃよりも左側（他方側）に位置する下流端部３８ｂまでこの内壁面３８に沿って流れることができる。従って、この内壁面３８の下流端部３８ｂ近傍から流出する洗浄水は、矢印Ｆ３に示すように、下流側リム導水路３０から内壁面３８の延長線上のリム通水路２０に向かう洗浄水の主流を直線的に形成することできる。
【００５３】
図２において矢印Ｆ３及びＦ４に示すように、下流側リム導水路出口部３０ｂから流出する洗浄水は、リム通水路２０上を周回しようとする洗浄水の流線に沿って、リム通水路２０を流れる主流を形成する。中央後方領域２０ｂから汚物受け面１６の中心線Ｃ近傍の領域に流下される洗浄水の量が低減されるため、この洗浄水の旋回方向に向かう単位時間当たりの流量が増大されている。多くの洗浄水は、リム通水路２０におけるリム通水路底面２４上を、左側後方領域から、左側領域、前側領域、右側領域、右側後方領域、後方領域の順に通過して、再び左側後方領域に戻るような、旋回流れの主流を形成する。
【００５４】
リム通水路２０からスリット開口部２６を通って流下する洗浄水は、汚物受け面１６の上部内周壁４０を旋回する旋回流を形成する。図４に示すように、上部内周壁４０を旋回する旋回流Ｆ５は、傾斜領域Ｄにおいて、上部内周壁４０の傾斜が、リム部１８のリム垂下壁部２２の傾斜よりも緩やかになるように形成されているので、洗浄水が傾斜領域Ｄの前方に向けて突出した頂部４１に至るまでに、洗浄水の流速が減速されるとともに洗浄水の流線方向がボウル部内側方向に変化される。よって、下流側リム導水路出口部３０ｂのボウル部内方側の汚物受け面１６において、汚物受け面１６上で旋回する流れが周回して下流側リム導水路出口部３０ｂの下方に戻ってくる場合に、上部内周壁４０の傾斜領域Ｄから排水路に流れ込むような内側向きの流れを強めることができる。よって、上部内周壁４０の傾斜領域Ｄ上に流入する旋回流の洗浄水が、やや内側に向かって逃がされるように流下されるため、下流側リム導水路出口部３０ｂからボウル部内方側に向かって流下する洗浄水と、上部内周壁４０の傾斜領域Ｄ上に流入する旋回流とが、衝突して水跳ねを生じさせることを抑制することができる。
【００５５】
傾斜領域Ｄは、基準線Ｇに対して左右対称になるように中心部Ｃ２を中心とした所定の中心角度の範囲の領域として形成されているので、上部内周壁４０上から傾斜領域Ｄに流入した洗浄水は、傾斜領域Ｄにおいて、洗浄水の流速が徐々に減速されるとともに洗浄水一部の流線方向がボウル部内側方向に変化されることができる。従って、より効率的に上部内周壁４０の傾斜領域Ｄから排水路に流れ込むような内側向きの流れを強めることができる。
【００５６】
上述のように、リム通水路２０からスリット開口部２６を通って流下する洗浄水は、汚物受け面１６の上部内周壁４０を旋回する旋回流を形成し、さらに、上部内周壁４０を流下する洗浄水が上方汚物受け面４２上に旋回流を形成する。このとき、汚物受け面１６上の旋回流は、例えば、左側方領域Ｈ１の凸面、前方領域Ｈ２の凹面、右側方領域Ｈ３の凸面、後方領域Ｈ４の凹面の順に各領域を通過することとなる。
この上方汚物受け面４２上の旋回流において、左側方領域Ｈ１においては、凸面形状により、矢印Ｆ６に示すように、洗浄水が減速される。以下、矢印Ｆ６乃至Ｆ９については、矢印の長さにより流速の大きさの大小を示す。前方領域Ｈ２においては、凹面形状により、矢印Ｆ７に示すように、洗浄水が加速される。右側方領域Ｈ３においては、凸面形状により、矢印Ｆ７に示すように、洗浄水が減速される。後方領域Ｈ４においては、凹面形状により、矢印Ｆ７に示すように、洗浄水が加速される。
よって、上方汚物受け面４２上を周回する旋回流において、洗浄水の流速に領域に応じて緩急をつける（流速差をつける）ことができる。両側方領域の凸面を乗り越えた後に加速された洗浄水が、矢印Ｆ１０及びＦ１１に示すように、汚物が付着しやすい汚物受け面１６の前方領域Ｈ２及び後方領域Ｈ４に集中した流れを形成することができ、汚物受け面１６上の領域の洗浄性能を高めることができる。また、リム部１８からの洗浄水の溢れや水跳ねが生じやすい左側方領域Ｈ１及び右側方領域Ｈ３においては、凸面により洗浄水を減速させ、洗浄水の溢れや水跳ねを抑制することができる。前方領域Ｈ２及び後方領域Ｈ４の所定の曲率の凸面、又は凹面からボウル部８の下方の排水トラップ管路１４に向かって流れ込む流れが形成されることから、汚物の排出性能を向上させ、便器本体２の洗浄性能を向上させることができる。
【００５７】
また、上方汚物受け面４２上の旋回流において、左側方領域Ｈ１の凸面で減速された洗浄水が、前方領域Ｈ２の凹面に流入し且つ集められることで、前方領域Ｈ２の凹面から凹部４４に流入する洗浄水の主流Ｆ１０が形成される。さらに、右側方領域Ｈ３の凸面で減速された洗浄水が、後方領域Ｈ４の凹面に流入し且つ集められることで、後方領域Ｈ４の凹面から凹部４４に流入する洗浄水の主流Ｆ１１が形成される。このように、上方汚物受け面４２上に旋回流の流速を低減させる領域を形成し、前方領域Ｈ２の凹面及び後方領域Ｈ４の凹面から洗浄水をまとめて凹部４４に流下させることができ、排水トラップ管路１４内への流れ込みを強く作ることによって、汚物の排出効率を高めることができる。
【００５８】
また、本実施形態による水洗大便器１においては、ボウル部８の汚物受け面１６の上方汚物受け面４２は、その右側方領域Ｈ３及び左側方領域Ｈ１が横方向に沿って凸面により形成され、その前方領域Ｈ２と後方領域Ｈ４が前後方向に沿って両側方領域より小さな曲率の凸面又は凹面により形成されているので、ジェット吐水口を設けなくても、さらに、洗浄水を吐水するリム吐水口を設けていない場合であっても、ボウル部８の凹部４４の前方から及び後方からそれぞれ凹部４４に流入する主流Ｆ１０、Ｆ１１を形成することができる。具体的には、凹部４４の前方から流入する洗浄水の主流Ｆ１０が、排水トラップ管路１４内への押し込み流（縦方向の旋回流）を発生させ、凹部４４の後方から流入する洗浄水の主流Ｆ１１が、横方向（水平方向）の旋回流を発生させる。その結果、ボウル部８の凹部４４内で汚物を含む洗浄水を効率的に攪拌でき、汚物の排出効率を高めることができる。
【００５９】
このような旋回流れを形成しながら、洗浄水が、リム通水路底面２４の内側に形成されたスリット開口部２６から、徐々に流下し、ボウル部８の汚物受け面１６の全体を均一に洗浄することとなる。ボウル部８を流下した洗浄水は、汚物とともに排水トラップ管路１４から排出されて、便器本体２の一連の洗浄動作が終了する。
【００６０】
上述した本発明の一実施形態による水洗大便器１によれば、リム後方導水路１０の下流側リム導水路出口部３０ｂから流出する洗浄水が、汚物受け面１６上で旋回する流れを形成し、この旋回流が汚物受け面１６上を周回して下流側リム導水路出口部３０ｂのボウル部内方側の傾斜領域Ｄに流れる場合に、この傾斜領域Ｄにおける汚物受け面１６の上部内周壁４０の傾斜は、リム部１８のリム垂下壁部２２の傾斜よりも緩やかに形成されているので、傾斜領域Ｄに到達した洗浄水流が、傾斜領域Ｄの上部内周壁４０によって減速され、且つボウル部内方側に向かう向きに流される。従って、汚物受け面１６上の旋回流が周回してリム後方導水路１０の下流側リム導水路出口部３０ｂの下方に戻ってくる場合に、洗浄水の汚物受け面１６から排水路に流れ込む流れを強めることができるとともに、下流側リム導水路出口部３０ｂのボウル部内方側の傾斜領域Ｄにおいて、リム後方導水路１０から汚物受け面１６上に流入する洗浄水と、旋回流とが衝突して水跳ねを生じることを抑制することができる。さらに、下流側リム導水路出口部３０ｂのボウル部内方側の上部内周壁４０に到達した洗浄水の流れが、上部内周壁４０の傾斜によって減速され、且つボウル部内方側に向かう向きに流されるので、汚物が比較的付着しやすい汚物受け面１６の後方側に、集中した流れを形成させることができ、汚物受け面１６の洗浄性能を向上させることができる。また、この集中した流れがボウル部８の下方の排水トラップ管路１４に向かって流れ込む流れを強めていることから、汚物の排出性能を向上させ、便器本体２の洗浄性能を向上させることができる。
【００６１】
また、本実施形態による水洗大便器１によれば、汚物受け面１６の上部内周壁４０における下流側リム導水路出口部３０ｂのボウル部内方側に設けられた傾斜領域Ｄは、ボウル部８の中心部Ｃ２を中心とした８０度〜１００度の範囲の領域であるので、上部内周壁４０の傾斜により使用者に汚物受け面１６についていびつな印象を与えることなく、美観も確保することができる。
【００６２】
さらに、本実施形態による水洗大便器１によれば、汚物受け面１６上を周回する旋回流において、洗浄水の流速に領域に応じて緩急をつけることができ、両側方領域（左側方領域Ｈ１及び右側方領域Ｈ３）の凸面を乗り越えた後に加速された洗浄水が、汚物が付着しやすい前方領域Ｈ２及び後方領域Ｈ４の所定の曲率の凸面、又は凹面に集中した流れを形成することができ、汚物受け面１６上の領域の洗浄性能を高めることができる。また、前方領域Ｈ２及び後方領域Ｈ４の所定の曲率の凸面、又は凹面からボウル部８の下方の排水路に向かって流れ込む流れが形成されることから、汚物の排出性能を向上させ、便器本体２の洗浄性能を向上させることができる。
【００６３】
また、本実施形態による水洗大便器１によれば、スリット開口部２６がリム通水路２０の側方を開口する開口部として形成されている場合において、例えば便器本体２の前に立つ使用者がスリット開口部２６を見下ろしたとき、使用者は、スリット開口部２６からリム後方導水路１０の下流側リム導水路出口部３０ｂが見えない状態で便器を使用することとなる。よって、使用者が、下流側リム導水路出口部３０ｂが見えることにより汚れを気にすること、及び使用者自身が行う下流側リム導水路出口部３０ｂの清掃の必要性を感じさせることを防ぐことができる。また、使用者は、通常、スリット開口部２６から下流側リム導水路出口部３０ｂが見えない状態で便器を使用するため、使用者に対し、スリット開口部２６のみが見え、洗練された美的感覚を与えることができる。
【符号の説明】
【００６４】
１        水洗大便器
２        便器本体
４        貯水タンク（給水装置）
６        供給口
８        ボウル部
１０      リム後方導水路
１２      溜水部
１４      排水トラップ管路（排水路）
１４ａ    入口
１４ｂ    後端
１６      汚物受け面
１８      リム部
２０      リム通水路
２０ａ    合流部
２０ｂ    中央後方領域
２２      リム垂下壁部（内周壁）
２４      リム通水路底面
２６      スリット開口部
２６ａ    上部
２６ｂ    下部
２８      上流側リム導水路
２８ａ    上流側リム導水路出口部
２８ｂ    上流側リム導水路入口部
２９      壁面
３０      下流側リム導水路
３０ａ    下流側リム導水路入口部
３０ｂ    下流側リム導水路出口部
３２      屈曲部
３２ａ    屈曲部
３４      リム通水路外側壁面
３８      内壁面
３８ａ    上流端部
３８ｂ    下流端部
４０      上部内周壁
４１      頂部
４２      上方汚物受け面
４４      凹部
１０１    水洗大便器
１０２    便器本体
１０３    抜き型
１０８    ボウル部
１１６    汚物受け面
１１８    リム
１２０    リム通水路
１２２    リム内周壁部
１２３    直線
１２６    スリット開口
１４０    上部内周壁
ａ１      位置
ａ２      位置
Ａ１      中心線
Ｃ        中心線
Ｃ１      中心点
Ｃ２      中心部
Ｄ        傾斜領域
Ｄ１      下流側端部
Ｄ２      上流側端部
Ｅ        横断線
Ｇ        基準線
Ｈ１      左側方領域
Ｈ２      前方領域
Ｈ３      右側方領域
Ｈ４      後方領域
Ｌ１      水平面
Ｌ２      水平面
ｌ１      距離
ｌ２      距離
Ｖ        視線
【図１】
0006712401.tif 000002
【図２】
0006712401.tif 000003
【図３】
0006712401.tif 000004
【図４】
0006712401.tif 000005
【図５】
0006712401.tif 000006
【図６】
0006712401.tif 000007
【図７】
0006712401.tif 000008
【図８】
0006712401.tif 000009
【図９】
0006712401.tif 000010